(57)【要約】【課題】カートリッジ状のインクタンク部材を容易且つ確実に交換可能としたマーカーを提供すること。【解決手段】筒状のボディ部１と、ドローイングチップ部１１と、ボディ部の後部から当該ボディ部に交換可能に装着されるカートリッジ状のインクタンク部材２１とから構成され、ボディ部１に装着される交換用のインクタンク部材３１は、インクを含浸した中綿２２と、この中綿を覆うプラスチック製のインクボディ２３と、インクボディ２３の先端に形成された蓋部３２とを備え、この蓋部３２を除去すると中綿２２に連通する孔部３０が形成されるものであり、孔部３０を形成したインクタンク部材をボディ部１に装着すると、ドローイングチップ部１１の後端部１３が、当該孔部に挿入されて中綿２２と接触するように設けられているマーカーである。【選択図】            図２
2004160745.tif 000002
【特許請求の範囲】
【請求項１】
筒状のボディ部と、前記ボディ部の前端部に装着されるドローイングチップ部と、前記ボディ部の後部から当該ボディ部に交換可能に装着されインクを含浸した中綿を有するカートリッジ状のインクタンク部材とから構成され、前記ドローイングチップ部の後端部が前記中綿と接触しているマーカーにおいて、
前記ボディ部に装着される交換用のインクタンク部材は、インクを含浸した中綿と、この中綿を覆うプラスチック製のインクボディと、前記インクボディの先端に形成された蓋部とを備えるとともに、この蓋部を除去すると前記中綿に連通する孔部が形成されるものであり、
前記孔部を形成したインクタンク部材を前記ボディ部に装着すると、前記ドローイングチップ部の後端部が、当該孔部に挿入されて前記中綿と接触するように設けられていることを特徴とするマーカー。
【請求項２】
前記交換用のインクタンク部材は、前記蓋部と前記インクボディとの間に薄肉部が設けられていて、前記インクボディに対し前記蓋部を捩ると前記薄肉部が破断して当該蓋部が除去され前記孔部が形成されるものであることを特徴とする請求項１記載のマーカー。
【請求項３】
前記ボディ部は先端に細径部を備え、前記ドローイングチップ部は前記細径部に交換可能に装着されることを特徴とする請求項１記載のマーカー。
【発明の詳細な説明】
【０００１】
【発明の属する技術分野】
本発明は、マーカーに関し、より詳細には、カートリッジ状のインクタンク部材を交換可能としたマーカーに関するものである。
【０００２】
【従来の技術】
従来より、水性マーカー、油性マーカー等のマーカーは、一般に、円筒状のボディ部と、ボディ部の前端部に装着されるドローイングチップ部と、インクを含浸した中綿を有するインクタンク部材とから構成されており、このドローイングチップ部の後端部が中綿と接触して、中綿に含浸されているインクを先端のチップに浸透させているので、筆記幅が広いチップでもインクがかすれることなく筆記可能に設けられている。
【０００３】
この種のマーカーにおいて、インクが消費されると、ドローイングチップ部やボディ部、キャップ部等が爾後も十分に使用可能であるにもかかわらず、マーカー全体を廃棄することとなってしまうため、資源の有効利用に鑑み、インクタンク部材を交換可能としているマーカーが提案されている。
【０００４】
例えば、実開平６−４２２５４号公報（特許文献１）に開示されたマーカーは、ドローイングチップ部の後端を鋭端に形成し、交換用のインクタンク部材がマーカーのボディ部に挿入された際に、この鋭端であるドローイングチップ部の後端でインクタンク部材の前端のフィルムを破壊し、ドローイングチップ部と中綿との接触を図るように構成されているものである。
【０００５】
また、特開平８−２１６５８４号公報（特許文献２）に開示されたマーカーは、インクタンク部材にドローイングチップ部を一体に形成しておくものであり、インクタンク部材の交換の際ドローイングチップ部も一緒に交換するものである。
【０００６】
【特許文献１】実開平６−４２２５４号公報
【特許文献２】特開平８−２１６５８４号公報
【０００７】
【発明が解決しようとする課題】
前記特許文献１のものは、ドローイングチップ部の後端でインクタンク部材の前端のフィルムを破壊するものであって、前述したようにドローイングチップ部の後端を鋭端に形成するものであるため、その形成に手間がかかり、また、何回かインクタンク部材を交換して使用して行くうちに、ドローイングチップ部後端の鋭端が劣化し、インクタンク部材の前端のフィルムを確実に破壊することができなくなるといった不都合もあった。
【０００８】
また、前記特許文献２のものは、インクタンク部材にドローイングチップ部を一体に形成しておくものであって、インクタンク部材の交換の際ドローイングチップ部も一緒に交換するものであるため、ドローイングチップ部が爾後使えても廃棄されてしまう不都合があった。
【０００９】
本発明は、上記事情に鑑みてなされたもので、この種のカートリッジ状のインクタンク部材を交換可能としたマーカーにおいて、ドローイングチップ部の後端を鋭端に形成する必要がなく、すなわち当該後端を通常のマーカーと同様のものでよく、更に、新しいインクタンク部材を装着する場合に交換がより容易にでき、また、当該インクタンク部材の中綿がドローイングチップ部の後端と確実に接触することができるように工夫したものである。
【００１０】
【課題を解決するための手段】
本願第１請求項に記載した発明は、筒状のボディ部と、前記ボディ部の前端部に装着されるドローイングチップ部と、前記ボディ部の後部から当該ボディ部に交換可能に装着されインクを含浸した中綿を有するカートリッジ状のインクタンク部材とから構成され、前記ドローイングチップ部の後端部が前記中綿と接触しているマーカーにおいて、
前記ボディ部に装着される交換用のインクタンク部材は、インクを含浸した中綿と、この中綿を覆うプラスチック製のインクボディと、前記インクボディの先端に形成された蓋部とを備えるとともに、この蓋部を除去すると前記中綿に連通する孔部が形成されるものであり、
前記孔部を形成したインクタンク部材を前記ボディ部に装着すると、前記ドローイングチップ部の後端部が、当該孔部に挿入されて前記中綿と接触するように設けられているマーカーである。
【００１１】
このように、請求項１の発明においては、交換用のインクタンク部材は、インクボディの先端に形成された蓋部を除去すると中綿に連通する孔部が形成されるので、インクタンク部材を装着すれば、ドローイングチップ部の後端部が確実に中綿と接触することができるようになる。
【００１２】
従って、請求項１の発明によれば、ドローイングチップ部の後端を鋭端に形成する必要がなく、すなわち当該後端を通常のマーカーと同様のものでよいので、通常のドローイングチップ部を共用することができて経済的である。更に、新しいインクタンク部材を装着する場合に交換がより容易にでき、また、当該インクタンク部材の中綿がドローイングチップ部の後端と確実に接触することができるので、新しいインクタンク部材を装着してインクが出ないといった不都合は回避されることになる。
【００１３】
本願第２請求項に記載した発明は、請求項１記載の発明において、前記交換用のインクタンク部材は、前記蓋部と前記インクボディとの間に薄肉部が設けられていて、前記インクボディに対し前記蓋部を捩ると前記薄肉部が破断して当該蓋部が除去され前記孔部が形成される構成のマーカーである。
【００１４】
このように、請求項２の発明においては、蓋部とインクボディとの間に設けられた薄肉部が、蓋部を捩ると破断して孔部が形成されるので、ドローイングチップ部の後端部は孔部を挿通して、確実に中綿と接触することができるようになる。
【００１５】
本願第３請求項に記載した発明は、請求項１記載の発明において、前記ボディ部は先端に細径部を備え、前記ドローイングチップ部は前記細径部に交換可能に装着される構成のマーカーである。
【００１６】
このように、請求項３の発明においては、ドローイングチップ部はボディ部の細径部に交換可能に装着されるので、インクタンク部材のインクが使える場合でドローイングチップ部が劣化したときは、ドローイングチップ部のみを交換すればよい。従って、従来のインクタンク部材にドローイングチップ部が一体に形成されているものに対し、一方のみ交換することができるので、不必要な交換を回避できて経済的である。
【００１７】
【発明の実施の形態】
以下、本発明を図示の具体例に基づいて説明する。
【００１８】
図１は本発明を実施したマーカーを示す外観図で、（１）は中間部分を省略して示す正面図、（２）は側面図、図２は図１に示すマーカーの断面図、図３はキャップ部材をマーカー本体から外した状態を示す外観図、図４は図３におけるマーカーの断面図である。
【００１９】
これらの図において、本例のマーカーＭは、マーカー本体Ａにキャップ部材Ｂを備えるものであって、マーカー本体Ａは、筒状のボディ部１と、前記ボディ部の前端部に装着されるドローイングチップ部１１と、ドローイングチップ部１１にインクを供給するインクタンク部材２１とから構成されている。
【００２０】
また、図５は図３に示すマーカー本体からインクタンク部材を外した状態を示す外観図、図６は図５におけるマーカーの断面図である。
【００２１】
この例では、ボディ部１を前側のボディエンド部２と後側のアウターボディ部５とで形成している。
【００２２】
ボディエンド部２は、先端に細径部３を備え、中央より後側に鍔状の突部４を一体形成している。この細径部３には、ドローイングチップ部１１が挿入されて固着される。また、ボディエンド部２にアウターボディ部５が外嵌めされて固着された際、突部４がストッパーとなる。
【００２３】
突部４の高さとアウターボディ部５の肉厚、並びに突部４の高さと前記キャップ部材Ｂの肉厚とは同じものに設定されており、従って、キャップ部材Ｂをマーカー本体Ａに装着した本例のマーカーは、キャップ部材Ｂからボディ部１にかけて同一径を維持することとなり、外観がすっきりしたものとなる。
【００２４】
また、アウターボディ部５の前側には、複数のリング状のすべり止め６，６が形成されている。
【００２５】
ドローイングチップ部１１は、先端のペン先部１２と、後述するインクタンク部材２１の中綿２２と接触する後端部１３とを備え、ペン先部１２と後端部１３は繋がっていて、前記中綿２２からのインクを後端部１３からペン先部１２へ供給できるように形成されている。その意味においては、ドローイングチップ部１１は従来公知のものと同様な構造を有しており、ペン先部１２と後端部１３が繊維質状の同一部材で形成されていたり又はペン先部１２と後端部１３が別部材で形成されている等、適宜の形態が採られ得る。
【００２６】
インクタンク部材２１は、インクを含浸した中綿２２を有するカートリッジ状の部材で、ボディ部１の後部から当該ボディ部の内部に交換可能に装着される。より詳細に説明すると、インクタンク部材２１は、中綿２２を覆うプラスチック製の外延部材２３と、外延部材２３の後部を覆う尾栓２４が設けられており、外延部材２３の先端には、孔部３０が形成されている。
【００２７】
尚、インクタンク部材２１の前記中綿２２、これを覆うプラスチック製の外延部材２３、並びに外延部材２３の後部を覆う尾栓２４それ自体は、従来公知のものを用いてよい。
【００２８】
また、尾栓２４の後部には、リング状に埋没した把持部２５を設けて、インクタンク部材２１をボディ部１の後部から取り外す際に把持しやすいようにしている。尚、尾栓２４の外部から見える箇所には、用いられるインクと同色の採色が施されている。同様に、キャップ部材Ｂの端面にも、用いられるインクと同色の採色が施されている。
【００２９】
前記外延部材２３は、先端側２６と、段部２７を隔てて若干太径の後端側２８とから構成され、段部２７の手前には断面が半円形のリング状の突部２９が形成されている。
【００３０】
段部２７は、インクタンク部材２１がボディ部１に装着された際に、該ボディ部１のボディエンド部２後端部に当接して、当該段部２７が挿入時のストッパーとなる。
【００３１】
前記リング状の突部２９は、ボディ部１のボディエンド部２の後端部の内側と接触して当該部位を密封し、また、突部２９の周面が曲面状を呈しているので、インクタンク部材２１の取外しが容易になされ得る。
【００３２】
また、本例では、図７に示すように、ドローイングチップ部１１は、マーカー本体Ａに対し交換可能に形成されている。
【００３３】
すなわち、ドローイングチップ部１１はボディ部１の細径部、この例ではボディエンド部２の先端の細径部３に交換可能に装着されている。
【００３４】
従って、ドローイングチップ部はボディ部の細径部に交換可能に装着されるので、インクタンク部材のインクが使える場合でドローイングチップ部が劣化したときは、ドローイングチップ部のみを交換すればよい。これにより、従来のインクタンク部材にドローイングチップ部が一体に形成されているものに対し、一方のみ交換することができるので、不必要な交換を回避できて経済的である。
【００３５】
尚、ドローイングチップ部１１には、リング状の鍔部１４を設けて、ドローイングチップ部１１をボディ部１から取り外す際に把持しやすいようにしている。
【００３６】
このように、本例のマーカーは、図８に示すように、ボディ部１からドローイングチップ部１１とインクタンク部材２１をそれぞれ交換可能に設けている。
【００３７】
更に、本例のマーカーは、図９及び図１０に示すように、交換用のインクタンク部材３１をインクタンク部材２１に代えて用いることができる。
【００３８】
交換用のインクタンク部材３１は、インクボディの先端に蓋部３２を一体に形成しており、他の構成部材は前記インクタンク部材２１を構成する部材と同じものであるので、同一の符号を付してその詳細な説明を省略する。
【００３９】
すなわち、交換用のインクタンク部材３１は、インクを含浸した中綿２２と、この中綿を覆うプラスチック製のインクボディ２３と、インクボディ２３の先端に形成された蓋部３２とを備え、この蓋部３２を除去すると中綿２２に連通する孔部３０が形成されるものである。
【００４０】
尚、交換用のインクタンク部材３１は、前記インクタンク部材２１と同様に、中綿２２を覆うプラスチック製の外延部材２３、外延部材２３の後部を覆う尾栓２４、尾栓２４の後部の把持部２５、を設けている。更に、外延部材２３は、先端側２６と、段部２７を隔てて若干太径に形成された後端側２８、段部２７の手前にはリング状の突部２９が形成されている。
【００４１】
本例の交換用のインクタンク部材３１は、前述したように、蓋部３２を除去すると中綿２２に連通する孔部３０が形成される。そして、孔部３０を形成したインクタンク部材３１をボディ部１に装着すると、ドローイングチップ部１１の後端部１３が、当該孔部３０に挿入されて、前記中綿２２と接触するように設けられている。
【００４２】
従って、インクタンク部材３１を装着すれば、ドローイングチップ部１１の後端部１３が確実に中綿２２と接触することができるようになる。このように、本例のマーカーによれば、ドローイングチップ部の後端を鋭端に形成する必要がなく、換言すると当該後端を通常のマーカーと同様のものでよいので、通常のドローイングチップ部を共用することができて経済的である。更に、新しいインクタンク部材を装着する場合に交換がより容易にでき、また、当該インクタンク部材の中綿がドローイングチップ部の後端と確実に接触することができるので、新しいインクタンク部材を装着してインクが出ないといった不都合は回避されることになる。
【００４３】
尚、本例の交換用のインクタンク部材３１は、蓋部３２の後端部、すなわち外延部材２３の先端部を、薄肉状に形成した薄肉部３３としている。この薄肉部３３の存在により、蓋部３２を捩ると当該蓋部３２は容易に破断して除去することができ、これにより、中綿２２に連通する孔部３０が確実に形成されることになる。そして、ドローイングチップ部１１の後端部１３は孔部３０を挿通して、確実に中綿２２と接触することができるようになる。
【００４４】
本発明のマーカーは上述した具体例に限定されるものでなく、とりわけ蓋部や薄肉部等は、当該蓋部が容易に離脱可能な適宜の構造を採用してよいことは勿論である。
【００４５】
【発明の効果】
以上説明したように、本発明は、筒状のボディ部と、前記ボディ部の前端部に装着されるドローイングチップ部と、前記ボディ部の後部から当該ボディ部に交換可能に装着されインクを含浸した中綿を有するカートリッジ状のインクタンク部材とから構成され、前記ドローイングチップ部の後端部が前記中綿と接触しているマーカーにおいて、前記ボディ部に装着される交換用のインクタンク部材は、インクを含浸した中綿と、この中綿を覆うプラスチック製のインクボディと、前記インクボディの先端に形成された蓋部とを備えるとともに、この蓋部を除去すると前記中綿に連通する孔部が形成されるものであり、前記孔部を形成したインクタンク部材を前記ボディ部に装着すると、前記ドローイングチップ部の後端部が、当該孔部に挿入されて前記中綿と接触するように設けられているマーカーである。
【００４６】
このように、本発明においては、交換用のインクタンク部材は、インクボディの先端に形成された蓋部を除去すると中綿に連通する孔部が形成されるので、インクタンク部材を装着すれば、ドローイングチップ部の後端部が確実に中綿と接触することができるようになる。
【００４７】
従って、本発明によれば、ドローイングチップ部の後端を鋭端に形成する必要がなく、すなわち当該後端を通常のマーカーと同様のものでよいので、通常のドローイングチップ部を共用することができて経済的である。更に、新しいインクタンク部材を装着する場合に交換がより容易にでき、また、当該インクタンク部材の中綿がドローイングチップ部の後端と確実に接触することができるので、新しいインクタンク部材を装着してインクが出ないといった不都合は回避されることになる。
【００４８】
また、本発明は、前記交換用のインクタンク部材は、前記蓋部と前記インクボディとの間に薄肉部が設けられていて、前記インクボディに対し前記蓋部を捩ると前記薄肉部が破断して当該蓋部が除去され前記孔部が形成される構成のマーカーである。
【００４９】
このように、蓋部とインクボディとの間に設けられた薄肉部が、蓋部を捩ると破断して孔部が形成されるので、ドローイングチップ部の後端部は孔部を挿通して、確実に中綿と接触することができるようになる。
【００５０】
また、本発明は、前記ボディ部は先端に細径部を備え、前記ドローイングチップ部は前記細径部に交換可能に装着される構成のマーカーである。
【００５１】
このように、ドローイングチップ部はボディ部の細径部に交換可能に装着されるので、インクタンク部材のインクが使える場合でドローイングチップ部が劣化したときは、ドローイングチップ部のみを交換すればよい。従って、従来のインクタンク部材にドローイングチップ部が一体に形成されているものに対し、一方のみ交換することができるので、不必要な交換を回避できて経済的である。
【図面の簡単な説明】
【図１】本発明を実施したマーカーを示す外観図で、（１）は中間部分を省略して示す正面図、（２）は側面図である。
【図２】図１に示すマーカーの断面図である。
【図３】キャップ部材をマーカー本体から外した状態を示す外観図である。
【図４】図３におけるマーカーの断面図である。
【図５】図３に示すマーカー本体からインクタンク部材を外した状態を示す外観図である。
【図６】図５におけるマーカーの断面図である。
【図７】図３に示すマーカー本体からドローイングチップ部を外した状態を示す外観図である。
【図８】マーカー本体からインクタンク部材及びドローイングチップ部を外した状態を示す断面図である
【図９】本例のマーカーに用いる交換用のインクタンク部材を示す外観図で、（１）は正面図、（２）は平面図、（３）は側面図である。
【図１０】図９に示す交換用のインクタンク部材を示す図で、（１）は縦断正面図、（２）は横断平面図である。
【符号の説明】
Ｍ        マーカー
Ａ        マーカー本体
Ｂ        キャップ部材
１        ボディ部
２        ボディエンド部
３        細径部
４        突部
５        アウターボディ部
６        すべり止め
１１        ドローイングチップ部
１２        ペン先部
１３        後端部
１４        鍔部
２１        インクタンク部材
２２        中綿
２３        インクボディ
２４        尾栓
２５        把持部
２６        先端側
２７        段部
２８        後端側
２９        突部
３０        孔部
３１        インクタンク部材３１
３２        蓋部
３３        薄肉部
【図１】
2004160745.tif 000003
【図２】
2004160745.tif 000004
【図３】
2004160745.tif 000005
【図４】
2004160745.tif 000006
【図５】
2004160745.tif 000007
【図６】
2004160745.tif 000008
【図７】
2004160745.tif 000009
【図８】
2004160745.tif 000010
【図９】
2004160745.tif 000011
【図１０】
2004160745.tif 000012